(57)【特許請求の範囲】
【請求項１】
複数の遊技機に対応して設けられ、遊技者が遊技により獲得した遊技媒体である獲得媒体を受入れ、その受入れた獲得媒体を計数する計数処理を行う計数手段と、
前記計数手段における獲得媒体の受入状態として、前記獲得媒体の受入を許容する許容状態、及び前記獲得媒体の受入を許容するが、前記許容状態よりも獲得媒体を受入難くすることで受入を抑制する抑制状態を、択一的に切替可能な抑制手段と、
前記抑制手段を前記抑制状態から前記許容状態へと切替えるために、遊技場従業員が所持する、或いは対応する鍵手段による操作を受付ける計数操作手段と、
前記計数処理により計数された獲得媒体数である計数媒体数、及び当該計数処理が前記許容状態、及び前記抑制状態のいずれで行われたのかを特定可能な発行情報が記録された記録媒体を発行する発行手段と、
前記獲得媒体を対価とした交換対象となる景品を、その対価となる獲得媒体数である対価媒体数に対応付けて設定する設定手段と、
前記記録媒体を受付け、当該受付けた記録媒体の発行情報により前記計数媒体数と、その計数処理が前記許容状態、及び抑制状態のいずれで行われたのかと、を特定する受付手段と、
前記受付手段による記録媒体の受付によって特定された計数媒体数に基づき前記獲得媒体を対価とした景品交換を行うために、交換対象となる景品を選択するための操作を行う交換操作手段と、
前記受付手段による記録媒体の受付によって特定された計数媒体数に基づき前記獲得媒体を対価とした景品交換を行うために、その特定された計数媒体数、及び前記交換操作手段の操作により選択された景品を表示する交換表示を遊技場従業員に対して行う交換表示手段と、
前記交換受付手段により受付けられた記録媒体の発行情報により、前記計数処理が前記抑制状態で行われたと特定されることを条件として遊技場従業員に対して確認報知を行う報知手段と、
を備えたことを特徴とする遊技場用システム。
【請求項２】
前記報知手段は、前記確認報知を遊技場従業員により選択操作可能な確認表示をすることで報知する一方、当該確認表示を行った場合には、前記交換操作手段の操作、及び前記交換表示の更新処理の内、少なくとも一方を抑制し、その抑制を前記確認表示が選択操作されることを条件として解除することを特徴とする請求項１記載の遊技場用システム。
【請求項３】
前記設定手段は、前記交換対象となる景品の内、優先して交換対象候補とする優先景品であるか否かを特定可能に景品を設定し、
前記交換表示手段は、前記受付手段により計数媒体数が特定された場合に、前記確認表示が行われていないことを条件として、前記交換操作手段による操作が無くても、当該特定された計数媒体数を対価として交換可能な前記優先景品数を表示することを特徴とする請求項１又は２記載の遊技場用システム。
【請求項４】
前記計数手段に対応して設けられ、当該計数手段の受入状態が前記抑制手段により前記抑制状態となっている場合に、前記設定手段により設定された景品の少なくとも一部を選択可能に表示する計数表示手段を備え、
前記設定手段は、前記交換対象となる景品の内、前記計数表示手段による表示対象とするか否かを特定可能に景品を設定し、
前記発行手段は、前記計数表示手段により景品が選択された状態で前記記録媒体を発行する場合に、当該選択された景品が前記発行情報により特定可能となるように前記記録媒体を発行し、
前記受付手段は、受付けた記録媒体の発行情報により前記選択された景品が特定出来る場合には、当該景品の前記対価媒体数を特定し、
前記交換表示手段は、前記受付手段により前記対価媒体数が特定された場合には、その対価媒体数を前記計数媒体数と比較可能に表示することを特徴とする請求項１ないし３のいずれかに記載の遊技場用システム。
【請求項５】
前記発行手段は、前記記録媒体を発行する場合に、遊技場に複数設けられる前記計数手段の内、いずれの計数手段による計数処理に応じて発行したのか、対応する計数処理時刻、及び前記計数手段に対応して設けられ、その計数手段の周辺、又は前記獲得媒体を受入れさせた遊技者を撮像する撮像手段により対応する計数処理時に撮像された映像の内、少なくとも１つを示す情報である計数情報を前記発行情報により特定可能となるように前記記録媒体を発行し、
前記受付手段は、受付けた記録媒体の発行情報により前記計数情報を特定し、
前記交換表示手段は、前記受付手段により特定された計数情報を確認表示として表示することを特徴とする請求項１ないし４のいずれかに記載の遊技場用システム。
【発明の詳細な説明】
【技術分野】
【０００１】
本発明は、計数手段にて計数された遊技媒体に関する発行情報が記録された記録媒体を受付けることにより景品交換を行う遊技場用システムに関する。
【背景技術】
【０００２】
遊技場では、複数の遊技機に対応付けて、それら遊技機にて遊技者が獲得した遊技媒体（獲得遊技媒体）を計数する計数機を設けて計数するようにしている。この計数機での計数は、従来、遊技者が自由に行うことが許容されていたが、計数機に対する不正が横行したため、近年では、遊技場従業員の認証を受けることが条件となっている。
【先行技術文献】
【特許文献】
【０００３】
【特許文献１】特許第４３９７５６６号公報
【発明の概要】
【発明が解決しようとする課題】
【０００４】
さて、タバコ等を交換するために少量の遊技媒体を計数する場合にも遊技場従業員の認証を要していては、遊技場従業員の他の業務の妨げとなる虞があるため、例えば特許文献１では、計数機の投入口とは補助投入口を別途設けたり、或いは投入口を閉鎖する閉鎖部材を閉鎖状態としても投入口を一部開放状態として、その一部開放箇所等から閉鎖部材を閉鎖状態としたままでも獲得遊技媒体を受入れ可能としたりすることで計数可能とし、その状態で計数値が設定値以上となった場合に遊技場従業員を呼出すことを提案している。
しかしながら、不正者でない遊技者が投入口の閉鎖状態のまま計数する場合であっても、思いがけず計数値が設定値以上となることがあり、このような場合には、遊技場従業員を呼出す必要性が乏しいにも関わらず遊技場従業員を呼出すことが頻繁に発生し、上記構成としても遊技場従業員の他の業務の妨げとなる虞がある。
本発明は上記事情に鑑みてなされたもので、その目的は、遊技者のみで遊技媒体の計数を許容する場合であっても、遊技場従業員に最低限の注意を払わせることで好適に不正を防止出来る遊技場用システムを提供することにある。
【課題を解決するための手段】
【０００５】
本発明の遊技場用システムは、複数の遊技機に対応して設けられ、遊技者が遊技により獲得した遊技媒体である獲得媒体を受入れ、その受入れた獲得媒体を計数する計数処理を行う計数手段と、前記計数手段における獲得媒体の受入状態として、前記獲得媒体の受入を許容する許容状態、及び前記獲得媒体の受入を許容するが、前記許容状態よりも獲得媒体を受入難くすることで受入を抑制する抑制状態を、択一的に切替可能な抑制手段と、前記抑制手段を前記抑制状態から前記許容状態へと切替えるために、遊技場従業員が所持する、或いは対応する鍵手段による操作を受付ける計数操作手段と、前記計数処理により計数された獲得媒体数である計数媒体数、及び当該計数処理が前記許容状態、及び前記抑制状態のいずれで行われたのかを特定可能な発行情報が記録された記録媒体を発行する発行手段と、前記獲得媒体を対価とした交換対象となる景品を、その対価となる獲得媒体数である対価媒体数に対応付けて設定する設定手段と、前記記録媒体を受付け、当該受付けた記録媒体の発行情報により前記計数媒体数と、その計数処理が前記許容状態、及び抑制状態のいずれで行われたのかと、を特定する受付手段と、前記受付手段による記録媒体の受付によって特定された計数媒体数に基づき前記獲得媒体を対価とした景品交換を行うために、交換対象となる景品を選択するための操作を行う交換操作手段と、前記受付手段による記録媒体の受付によって特定された計数媒体数に基づき前記獲得媒体を対価とした景品交換を行うために、その特定された計数媒体数、及び前記交換操作手段の操作により選択された景品を表示する交換表示を遊技場従業員に対して行う交換表示手段と、前記交換受付手段により受付けられた記録媒体の発行情報により、前記計数処理が前記抑制状態で行われたと特定されることを条件として遊技場従業員に対して確認報知を行う報知手段と、を備えたものである（請求項１）。
【０００６】
請求項１記載の遊技場用システムにおいて、
前記報知手段は、前記確認報知を遊技場従業員により選択操作可能な確認表示をすることで報知する一方、当該確認表示を行った場合には、前記交換操作手段の操作、及び前記交換表示の更新処理の内、少なくとも一方を抑制し、その抑制を前記確認表示が選択操作されることを条件として解除するようにしてもよい（請求項２）。
【０００７】
請求項１又は２記載の遊技場用システムにおいて、
前記設定手段は、前記交換対象となる景品の内、優先して交換対象候補とする優先景品であるか否かを特定可能に景品を設定し、前記交換表示手段は、前記受付手段により計数媒体数が特定された場合に、前記確認表示が行われていないことを条件として、前記交換操作手段による操作が無くても、当該特定された計数媒体数を対価として交換可能な前記優先景品数を表示するようにしてもよい（請求項３）。
【０００８】
請求項１ないし３のいずれかに記載の遊技場用システムにおいて、
前記計数手段に対応して設けられ、当該計数手段の受入状態が前記抑制手段により前記抑制状態となっている場合に、前記設定手段により設定された景品の少なくとも一部を選択可能に表示する計数表示手段を備え、前記設定手段は、前記交換対象となる景品の内、前記計数表示手段による表示対象とするか否かを特定可能に景品を設定し、前記発行手段は、前記計数表示手段により景品が選択された状態で前記記録媒体を発行する場合に、当該選択された景品が前記発行情報により特定可能となるように前記記録媒体を発行し、前記受付手段は、受付けた記録媒体の発行情報により前記選択された景品が特定出来る場合には、当該景品の前記対価媒体数を特定し、前記交換表示手段は、前記受付手段により前記対価媒体数が特定された場合には、その対価媒体数を前記計数媒体数と比較可能に表示するようにしてもよい（請求項４）。
【０００９】
請求項１ないし４のいずれかに記載の遊技場用システムにおいて、
前記発行手段は、前記記録媒体を発行する場合に、遊技場に複数設けられる前記計数手段の内、いずれの計数手段による計数処理に応じて発行したのか、対応する当該計数処理時刻、及び前記計数手段に対応して設けられ、その計数手段の周辺、又は前記獲得媒体を受入れさせた遊技者を撮像する撮像手段により対応する計数処理時に撮像された映像の内、少なくとも１つを示す情報である計数情報を前記発行情報により特定可能となるように前記記録媒体を発行し、前記受付手段は、受付けた記録媒体の発行情報により前記計数情報を特定し、前記交換表示手段は、前記受付手段により特定された計数情報を確認表示として表示するようにしてもよい（請求項５）。
【発明の効果】
【００１０】
請求項１の発明によれば、計数値に対して遊技場従業員を呼出すための設定値を設定しなくとも、計数手段の受入状態が抑制状態にて計数することにより発行された記録媒体を受付けることを条件として確認表示が行われるので、その確認表示を見た遊技場従業員が、交換表示手段により表示される計数媒体数に基づき異常かどうかを判断出来る。この場合、交換処理を行う遊技場従業員は予め交換処理を行うために待機しているので、その交換処理中に確認する負担は、遊技者のみの計数を許容しており、計数処理を行うために待機していない遊技場従業員が、偶々計数値が設定値以上になることにより、その場へと駆けつけて確認する場合の負担と比較して驚く程に小さい。勿論、設定値を設定する手間も省略出来る。即ち、遊技場従業員に最低限の注意を払わせることで好適に不正を防止出来る。
【００１１】
請求項２の発明によれば、確認表示がされた場合には、交換処理に関わる操作、或いは表示更新処理が抑制されるので、確認表示を目立たない表示としても、遊技場従業員が確認表示に気付かないで不用意に交換処理を行ってしまうことを防止出来る。
請求項３の発明によれば、優先景品としては所謂特殊景品等の多くの遊技者が交換を望む景品であって、遊技場従業員が最も注意して交換数を特定する景品が設定されることが想定出来、記録媒体の受付け、即ち、計数媒体数の特定により交換操作手段を操作しなくとも交換可能な景品数が表示されるので、通常の交換処理をよりスムーズに実行可能となる一方、確認表示が行われている場合には、計数媒体数の特定により交換可能な優先景品数が表示されないため、確認表示を目立たない表示としても、遊技場従業員が確認表示に気付かないで交換処理を行ってしまうことを防止できる。
【００１２】
請求項４の発明によれば、計数処理の理由となる対価媒体数と計数媒体数とが比較表示されるので、計数媒体数が異常であるか否かを判断するための指標を遊技場従業員に提示できる。例えば少量の対価媒体数（例えば７５玉）の景品を選択しているにも関わらず、多量の計数媒体数（例えば２０００玉）が対応付けられた記録媒体により景品交換を望んでいる場合には異常であると判断出来る。
請求項５の発明によれば、確認表示により計数状況等を把握出来るので、計数媒体数が異常であるのか否かを判断するための指標を、確認表示等を見た遊技場従業員に提示出来る。
【図面の簡単な説明】
【００１３】
【図１】本発明の一実施形態における遊技場用システムの全体構成を示す概略図
【図２】閉鎖状態で示す島端計数機の斜視図
【図３】開放状態で示す島端計数機の斜視図
【図４】島端計数機に設定されている景品設定の一例を示す図
【図５】ＰＯＳ端末の正面斜視図
【図６】ＰＯＳ端末の交換中画面の一例を示す図
【図７】交換釦の押下げ後を示す図６相当図
【図８】特別計数レシートの一例を示す図
【図９】確認表示釦が表示された交換中画面の一例を示す図
【図１０】確認表示釦のタッチ操作後を示す図９相当図
【図１１】島端計数機の計数発行処理を示すフローチャート
【図１２】ＰＯＳ端末の交換処理を示すフローチャート
【発明を実施するための形態】
【００１４】
以下、本発明の一実施形態について図面を参照して説明する。
図１は、遊技場用システムの全体構成を示す概略図である。遊技場には遊技機１に対応して貸出機２が設置され、管理室には管理装置３（設定手段に相当）が設置されている。中継装置４は、２台の遊技機１、２台の貸出機２及び管理装置３とＬＡＮ５を介して接続されている。管理装置３は、遊技機側（遊技機１、貸出機２等）から送信される遊技信号を中継装置４を介して受信することにより遊技機１の遊技データを管理する。また、ＬＡＮ５には島端計数機６（計数手段、発行手段、設定手段に相当）及び景品交換端末として機能するＰＯＳ端末７（受付手段、報知手段に相当）も接続されており、管理装置３との間でデータ通信が可能となっている。島端計数機６は複数の遊技機１からなる島毎に対応して設置され、ＰＯＳ端末７は景品交換カウンタに設置されている。尚、図１では省略したが、実際には数百台の遊技機１が管理装置３の管理対象となる。
【００１５】
図２及び図３は、それぞれ閉鎖状態及び開放状態で示す島端計数機６の斜視図である。この島端計数機６は遊技者のみでの計数が禁止されており、計数するには遊技場従業員による認証を必要とする。即ち、遊技者が遊技により獲得した遊技媒体である獲得玉（獲得媒体に相当）を受入れる計数受入部８（図３のみに示す）は、通常においては図２に示すように受入口用シャッタ９で閉鎖されていると共に、その受入口用シャッタ９が図示しない電子錠にて施錠されることにより獲得玉の投入が禁止されている。電子錠は、従業員が予め登録された従業員ＩＣカード（鍵手段に相当）を従業員ＩＣカードリーダ１０（計数操作手段に相当）にかざすことによる従業員の認証に応じて開錠され、同時に計数受入部８の底部に設けられた計数口１１を閉鎖している計数口用シャッタ１２も開口する。開錠後に受入口用シャッタ９を図３に示すように開放（「獲得媒体の受入を許容する許容状態」に相当）することで計数可能となり、計数後にタッチ式の情報表示部１３に表示された図示しない発行釦（又は余り玉釦）をタッチ操作すると、計数結果を示す情報が記録されたレシートが発行口１４から発行される。１５は緊急用開閉鍵で、通常はシャッタ１６により閉鎖されており、シャッタ１６が開放された状態で従業員が携帯する鍵により開放操作された場合は、受入口用シャッタ９及び計数口用シャッタ１２を強制的に開錠、或いは開放する。尚、１７は会員カード挿入口、１８はリモコン受光部、１９は余り玉返却口である。
【００１６】
さて、計数受入部８の開口縁部の前端には、受入口用シャッタ９の閉鎖状態であっても獲得玉を計数受入部８へ投入可能な特別計数用投入口２０が設けられている。この特別計数用投入口２０は、少量の獲得玉を特別計数するための投入口で、投入口面積が開放状態である場合に比較して小さいことにより多量の獲得玉の投入が抑制されている（「獲得媒体の受入を許容するが、許容状態よりも獲得媒体を受入難くすることで受入を抑制する抑制状態」に相当）。特別計数とは、従業員の立会いを必要とせず、少量の獲得玉との交換が対象となる景品、例えばタバコやジュース等と交換する場合に行う計数である。この場合、受入口用シャッタ９は、許容状態と抑制状態とを択一的に切替可能な抑制手段として機能する。
【００１７】
島端計数機６には、交換対象となる景品毎の交換条件に関わる景品設定が、管理装置３における設定操作に応じた設定信号により、或いは島端計数機６における設定操作により設定可能に構成されている。図４は景品設定例を示しており、景品毎に、「景品名」、「交換玉数」、「特殊」、「特別計数」が設定されている。「交換玉数」は、該当景品を交換するための対価となる獲得玉数、「特殊」は所謂特殊景品（優先景品に相当）か否か、「特別計数」は特別計数対象とするか否かを示している。尚、特殊景品は遊技場外の所謂換金所での買取りが可能で、遊技者の多くが交換を望む景品であるため、「特殊」に「○」が設定された景品については、後述するようにＰＯＳ端末７にてレシートを読込んだ場合に優先的に交換景品数が演算される。
【００１８】
「特別計数」が「○」の景品は、島端計数機６における受入口用シャッタ９を閉鎖及び施錠した状態で特別計数用投入口２０から投入された獲得玉との交換が対象となる景品で、タバコやジュース等が設定される。これらの景品は島端計数機６にて特別計数が選択された場合に情報表示部１３にて一覧表示され、一覧表示の該当釦がタッチ操作された場合に景品選択されたとして、発行されるレシートに景品名が印字されたり、ＰＯＳ端末７にて読取られるバーコード等の発行情報がレシートに記録（印字）されたりすることにより特定可能となる。図示しないが、景品にはＰＯＳ端末７の景品選択釦や景品のバーコード等が対応付けられており、対応する釦操作やバーコードの読取り等により景品が選択される。尚、島端計数機６での特別計数が選択されると計数口用シャッタ１２が開放されることで計数は許容されるが、景品選択を特に行わなくとも、計数を禁止したり、発行を禁止したりはしない。
一方、管理装置３では島端計数機６による計数処理毎に計数結果等を示す発行情報を島端計数機６から受信することによりレシートと発行情報とを特定可能に管理している。
【００１９】
島端計数機６から発行されたレシートを景品交換カウンタに提出することによりＰＯＳ端末７にて景品との交換が可能となる。
図５は、ＰＯＳ端末７の正面斜視図である。ＰＯＳ端末７の操作釦としては、テンキー２１、景品選択釦２２（交換操作手段に相当）、交換釦２３、終了釦２４、景品取消釦２５、保留釦２６等がある。受付手段として機能する図示しないスキャナにてレシートの発行情報を読取る等して獲得玉を受付けると、交換中画面を情報表示部２７（報知手段、交換表示手段に相当）に表示する。交換中画面では、図６に示すように受付けた獲得玉数（計数媒体数に相当）を受付数表示部２７ａに表示し、更に受付数を交換可能玉数として交換可能表示部２７ｂに表示する。また、交換釦２３に対する操作に応じて交換可能玉数にて交換可能な特殊景品数を演算して特殊景品表示部２７ｃに表示し、その交換後の残り玉数を残数として残数表示部２７ｄに表示する。交換可能玉数は景品選択釦２２を押下する等して交換する景品を仮特定すると、その対価分を減算し、また、その減算に応じて特殊景品表示部２７ｃと残数表示部２７ｄを更新する。尚、仮特定された特殊景品以外の一般景品及びその対価媒体数は仮特定表示部２７ｅにて表示する。交換釦２３を押下すると特殊景品表示部２７ｃにて表示される特殊景品を図７に示すように仮特定（背景を黒と）し、交換可能玉数を更新する。仮特定した景品は終了釦２４の押下により確定され、景品取消釦２５の押下により取消される。また、保留釦２６が押下された場合は、仮特定に関わりなく、受付数を特定可能な保留レシートを発行する。尚、２８はプリンタである。
【００２０】
次に上記構成の作用について説明する。
図１１は島端計数機６の計数発行処理を示すフローチャートである。島端計数機６は、まず受入口用シャッタ９が施錠中かを判定する（Ａ１）。通常は受入口用シャッタ９が閉鎖されて施錠中であるので（Ａ１：ＹＥＳ）、特別計数受付か（Ａ２）、従業員認証か（Ａ３）を判定している。
遊技者が獲得玉を島端計数機６で計数する場合は、従業員を呼出して島端計数機６での計数に立会ってもらう。呼出された従業員が島端計数機６の従業員ＩＣカードリーダ１０に自分の従業員ＩＣカードをかざすと、島端計数機６は、従業員ＩＣカードから従業員情報を読取って従業員を認証するので（Ａ３：ＹＥＳ）、受入口用シャッタ９を開錠し（Ａ４）、従業員による認証済みを示す認証フラグを１とし（Ａ５）、計数口用シャッタ１２を開放してから（Ａ６）、玉計数か（Ａ７）、情報表示部１３に表示される発行釦（又は余り玉釦）がタッチ操作されたか（Ａ９）を判定するのに加えて、認証フラグが１であることに応じて（Ａ１０：ＮＯ）、受入口用シャッタ９が閉鎖しているか（Ａ１４）を判定するようになる。尚、玉計数されるまで情報表示部１３に発行釦（又は余り玉釦）は表示されない。
【００２１】
従業員が開錠された受入口用シャッタ９を図３に示すように開放し、獲得玉を計数受入部８に投入すると、島端計数機６は、玉計数であると判定し（Ａ７：ＹＥＳ）、計数処理を実行する（Ａ８）。獲得玉を全て投入したところで従業員が受入口用シャッタ９を閉鎖すると、島端計数機６は、受入口用シャッタ９が閉鎖したことから（Ａ１４：ＹＥＳ）、受入口用シャッタ９を施錠してから（Ａ１５）、ステップＡ７へ移行することにより計数処理を継続する。この様に受入口用シャッタ９を閉鎖することに応じて計数終了前に予め施錠するので、計数終了後の処理をスムーズに行えるようになる。受入口用シャッタ９が閉鎖された状態での獲得玉の計数が終了し、遊技者が情報表示部１３に表示されている発行釦（又は余り玉釦）をタッチ操作した場合は（Ａ９：ＹＥＳ）、認証フラグが１の状態で（Ａ２０：ＹＥＳ）、受入口用シャッタ９が施錠中であるので（Ａ２１：ＹＥＳ）、認証フラグを０とし（Ａ２２）、計数口用シャッタ１２を閉鎖してから（Ａ２４）、発行処理を実行する（Ａ２５）。これにより、計数結果を示す発行情報が記録したレシートが発行される。この場合、島端計数機６は従業員による認証が行われる前の状態に戻ることになる。
【００２２】
一方、従業員が次の計数に備えるべく受入口用シャッタ９を開放した状態で情報表示部１３に表示されている発行釦（又は余り玉釦）がタッチ操作された場合は（Ａ９：ＹＥＳ）、認証フラグが１の状態であるものの（Ａ２０：ＹＥＳ）、受入口用シャッタ９が施錠中でないので（Ａ２１：ＮＯ）、計数口用シャッタ１２を閉鎖することなく、発行処理を実行する（Ａ２５）。これにより、計数結果を示す発行情報が記録したレシートが発行される。この場合、受入口用シャッタ９及び計数口用シャッタ１２の開放状態が継続していることになる。このように受入口用シャッタ９及び計数口用シャッタ１２が開放された状態で獲得玉がさらに投入された場合は、受入口用シャッタ９が開錠された状態で新たな獲得玉を計数することになるので（Ａ１：ＮＯ、Ａ１６：ＹＥＳ）、計数処理を実行する（Ａ８）。これにより、従業員の再度の認証を受けることなく連続した計数処理が可能となる。そして、上述の様にして発行釦がタッチ操作されることにより（Ａ９：ＹＥＳ）、発行処理が行われる（Ａ２５）。そして、従業員が受入口用シャッタ９を閉鎖すると、受入口用シャッタ９が閉鎖したことから（Ａ１７：ＹＥＳ）、受入口用シャッタ９を施錠すると共に計数口用シャッタ１２を閉鎖し（Ａ１８）、認証フラグを０とするので（Ａ１９）、新たな玉計数を行う場合は、従業員の認証が必要となる。
以上のようにして従業員の認証を受けることにより獲得玉を計数して通常レシートを発行することができる。
【００２３】
さて、上述のように島端計数機６にて従業員の認証を受けることで受入口用シャッタ９を開錠して獲得玉を計数することが可能となるものの、従業員の認証を受けなくとも情報表示部１３に表示されている図示しない特別計数釦をタッチ操作することにより、受入口用シャッタ９の施錠状態での特別計数が可能となる。即ち、島端計数機６は、特別計数釦がタッチ操作されると、特別計数受付けであると判定し（Ａ２：ＹＥＳ）、受入口用シャッタ９を開錠することなく計数口用シャッタ１２を開放する（Ａ６）。このとき、図４の景品設定にて「特別計数」が「○」に設定されている景品の一覧を情報表示部１３にて選択可能に表示する。このように特別計数時には計数口用シャッタ１２は開放するものの、受入口用シャッタ９は開錠されないため、開口面積の小さい特別計数用投入口２０から少量の獲得玉を計数受入部８へ投入してから、情報表示部１３に表示される発行釦をタッチ操作する。
【００２４】
島端計数機６は、認証フラグが０の状態で発行釦がタッチ操作された場合は（Ａ９：ＹＥＳ、Ａ２０：ＮＯ）、発行レシートの発行情報が示す確認フラグを１とし（Ａ２３）、計数口用シャッタ１２を閉鎖し（Ａ２４）、発行処理する（Ａ２５）。つまり、特別計数時には発行レシートに従業員の認証を受けておらず確認が必要である旨を示す確認フラグが１であることをレシートにより特定可能に対応付けるのである。この特定は、例えば上記した景品を特定可能な情報が記憶されていることやレシートのＮＯ．等により管理装置３にて管理する発行情報にて特定すれば良い。
【００２５】
尚、特別計数中においても従業員の認証は可能で、認証した場合は受入口用シャッタ９が開錠されるので、受入口用シャッタ９を開放した計数が可能となる。即ち、認証フラグが０の状態で（Ａ１０：ＹＥＳ）、従業員認証が行われた場合は（Ａ１１：ＹＥＳ）、受入口用シャッタ９を開錠し（Ａ１２）、認証フラグを１とする（Ａ１３）。この状態で発行釦がタッチ操作された場合は（Ａ９：ＹＥＳ）、従業員による認証での発行であることから（Ａ２０：ＹＥＳ）、上述した場合と同様の計数処理が可能となる。
【００２６】
ここで発行処理について補足する。発行処理は発行釦、又は余り玉釦のタッチ操作に応じて実行されるが、発行釦のタッチ操作時には全計数玉をレシートに対応付ける一方、余り玉釦のタッチ操作時には計数玉の一部をレシートに対応付け、その余りを余り玉返却口１９から返却する。そして、レシートに対応付ける一部の計数玉は、通常の計数では計数玉を特殊景品と交換した場合に余り玉が発生しないように特定する一方、特別計数では選択された景品と交換した場合に余り玉が発生しないように特定する。この場合、景品選択を条件として特別計数を許容する構成とすれば、選択された景品の対価分のみが発行対象となるので、不正行為を更に好適に防止出来る。尚、景品が選択されない場合は通常の計数と同様に処理する、或いは全計数玉をレシートに対応付ければ良い。また、余り玉釦は特に採用しなくとも良いことから、上述した説明文では括弧書きにて記載した。
以上のようにして、島端計数機６から特別計数された発行情報が記録された特別計数レシートが発行される。
【００２７】
図８は特別計数レシートの一例を示している。特別計数レシート２９（記録媒体に相当）には、遊技場名２９ａ、特別計数である旨の印字２９ｂ、発行情報を示すＱＲコード（登録商標）２９ｃ、計数玉数２９ｄ（計数媒体数に相当）、選択景品及び選択景品の対価玉数等の選択景品情報２９ｅが印字される。図８に示す例では、選択景品としてタバコＡ（＝７５玉）が１個選択されたことを示している。尚、特別計数である旨の印字、選択景品情報２９ｅは通常レシートには印字されない。
【００２８】
遊技者が上述した様にして発行された通常レシート或いは特別計数レシートを景品交換カウンタに提出すると、従業員は、提出されたレシートをスキャナにてＰＯＳ端末７に読取らせる。
図１２は、ＰＯＳ端末７の交換処理を示すフローチャートである。ＰＯＳ端末７は、レシートを受付けたかを判定している（Ｂ１）。レシートを受付けると（Ｂ１：ＹＥＳ）、受付レシートの確認フラグが１かを判定する（Ｂ２）。このとき受付けた玉数を受付数表示部２７ａに表示し、更に受付数を交換可能玉数として交換可能表示部２７ｂに表示する。通常レシートの確認フラグは０であるので（Ｂ２：ＮＯ）、交換可能玉数にて交換可能な特殊景品数を演算する（Ｂ７）。そして、演算した特殊景品数を特殊景品表示部２７ｃに表示すると共に、特殊景品交換後の残り玉数を残数として残数表示部２７ｄに表示する。
【００２９】
次にＰＯＳ端末７は、交換釦２３が押下げられたか（Ｂ８）、景品選択釦２２等により一般景品が選択されたか（Ｂ１０）、景品取消釦２５が押下げられたか（Ｂ１２）、終了釦２４が押下げられたか（Ｂ１６）を判定する。一般景品が選択された場合は（Ｂ１０：ＹＥＳ）、選択された一般景品を仮特定する（Ｂ１１）。このとき同時に、仮特定した一般景品の対価分を交換可能玉数から減算すると共に、その減算に応じて特殊景品表示部２７ｃと残数表示部２７ｄも更新する。尚、仮特定された特殊景品以外の一般景品は仮特定表示部２７ｅにて表示する。交換釦２３が押下げられた場合は（Ｂ８：ＹＥＳ）、演算済みの特殊景品を仮特定する（Ｂ９）。このとき同時に、特殊景品表示部２７ｃにて表示される特殊景品を仮特定（背景を黒と）し（図７参照）、交換可能玉数を更新する。景品取消釦２５が押下げられた場合は（Ｂ１２：ＹＥＳ）、レシート以外により仮特定した景品が有るかを判定し（Ｂ１３）、仮特定した景品が有る場合は（Ｂ１３：ＹＥＳ）、レシート以外による景品の仮特定を取消し（Ｂ１４）、仮特定した景品が無い場合は（Ｂ１３：ＮＯ）、レシートによる景品の仮特定を取消す（Ｂ１５）。つまり、選択した一般景品の仮特定を優先的に取消すのである。そして、終了釦２４が押下げられた場合は（Ｂ１６：ＹＥＳ）、その時点で仮特定している景品の交換処理を実行する（Ｂ１７）。
以上のようにして、通常レシートに記録された獲得玉数を所望の景品と交換することが出来る。
【００３０】
さて、上述した特別計数レシート２９を読込んだ場合は、受付レシートの確認フラグが１であるので（Ｂ２：ＹＥＳ）、レシートにて景品が選択済みかを判定する（Ｂ３）。景品が選択済みでない場合は（Ｂ３：ＮＯ）、情報表示部２７に確認表示釦を表示し（Ｂ５）、選択済みの場合は（Ｂ３：ＹＥＳ）、選択済景品を仮特定してから（Ｂ４）、確認表示釦を表示する（Ｂ５）。
【００３１】
図９は、確認表示釦が表示された交換中画面の一例を示している。交換中画面には確認表示釦３０（確認報知、確認表示に相当）が表示されている。この確認表示釦３０上には「特別計数レシートです！！」というメッセージが表示されるので、注意が促された従業員は、交換中画面に表示されている受付数を確認し、不正が想定される受付数でないかを確認する。つまり、特別計数レシート２９が発行される条件は、島端計数機６の受入口用シャッタ９を閉鎖した抑制状態での計数であり、計数値が通常の計数時よりも極めて小さいことから、計数値が大きい場合は不正である可能性があると判断できる。図９に示す例では、確認表示釦３０が表示されているのに、受付数が１６００玉と多く、不正の可能性があると判断出来る。不正であると判断した従業員は、特別計数レシートを持ってきた遊技者が不正者でないか等を、例えば遊技した遊技機１の遊技情報や発行した計数情報等を確認することで特定する。不正者でないことを確認した場合は、確認表示釦３０をタッチ操作する。
【００３２】
確認表示釦３０を表示したＰＯＳ端末７は、確認表示釦３０がタッチ操作されたか（Ｂ６）、保留釦２６が押下げられたか（Ｂ１８）を判定しており、確認表示釦３０がタッチ操作された場合は（Ｂ６：ＹＥＳ）、レシートにて選択された景品の景品対価分が減算された交換可能玉数にて交換可能な特殊景品数を演算し（Ｂ７）、上述した交換処理を継続して行う。このとき、図１０は特定景品演算後の交換中画面を示しており、この状態で景品選択釦２２等により他の景品を仮特定することも可能であり、その状態で景品取消釦２５が押下された場合にはレシートを読込んだ状態に戻すべくレシートにより仮特定した景品のみの仮特定を残して他の仮特定を解除する。尚、図９の交換中画面は本来異常であると判断されるべきであることから、確認表示釦３０がタッチ操作されて図１０の交換中画面が表示されることは想定し難いが、説明の一例として図１０を示した。
【００３３】
一方、従業員は、確認の結果、やはり不正者であると判断した場合は、保留釦２６を押下する。ＰＯＳ端末７は、保留釦２６が押下られた場合は（Ｂ１８：ＹＥＳ）、仮特定に関わりなく、受付数を特定可能な保留レシートを発行する保留レシート発行処理を実行する（Ｂ１９）。これにより、保留レシートが発行されるので、不正者と判断した遊技者の次に待機している遊技者の景品交換が可能となると共に、不正者であると判断した遊技者が遊技していた遊技機１の遊技履歴と照合する等して遊技者の不正の有無を確実に判断することが可能となる。尚、保留レシートは再度の確認後に不正でないことが特定出来た場合、その読込によって交換処理を再開出来る。
【００３４】
このような実施形態によれば、次のような効果を奏することが出来る。
島端計数機６にて受入口用シャッタ９が施錠状態でも特別計数用投入口２０から投入された獲得玉を受入可能とする特別計数により発行した特別計数レシート２９をＰＯＳ端末７にて受付けた場合は、ＰＯＳ端末７の情報表示部２７に確認表示釦３０を表示するようにしたので、その確認表示釦３０を見た従業員は、情報表示部２７に表示される受付数に基づき異常かどうかを判断することが出来る。従って、ＰＯＳ端末７による交換処理中に従業員が確認する負担は、遊技者のみの計数を許容しており、計数処理を行うために待機していない従業員が、偶々計数値が設定値以上になることにより、その場へと駆けつけ確認する場合の負担と比較して大幅に軽減することが出来ると共に、従業員に最低限の注意を払わせることで好適に不正を防止出来る。
【００３５】
上述のように特別計数レシート２９をＰＯＳ端末７にて受付けることに応じて確認表示釦３０を表示した場合は、その確認表示釦３０をタッチ操作することを条件としてＰＯＳ端末７における交換操作を許容するようにしたので、確認表示釦３０が表示された場合には、確認表示釦３０がタッチ操作されるまで、交換処理に関わる操作、或いは表示更新処理が抑制され、確認表示釦３０を目立たない表示としても、従業員が確認表示釦３０に気付かないで不用意に交換処理を行ってしまうことを防止出来る。
【００３６】
確認表示釦３０が表示されていないことを条件として交換可能な特殊景品数を表示するようにしたので、確認表示釦３０が表示されている場合には、受付数の特定により交換可能な特種景品数が表示されないため、不用意に特殊景品の交換処理を行ってしまうことを防止できる。
島端計数機６にて例えばタバコ景品を選択した場合に、ＰＯＳ端末７にて特別計数レシート２９の受付けに応じてタバコ景品の交換玉数と受付数とを比較可能に表示するようにしたので、計数処理の理由となる交換可能玉数と受付数とが比較表示され、受付数が異常であるか否かを判断するための指標を従業員に提示できる。
【００３７】
（他の実施形態）
本発明は、上記実施形態に限定されることなく、次のように変形または拡張できる。
島端計数機６にて抑制状態での受入口の開口面積が許容状態よりも狭ければ獲得玉を受入れ難くなるので、抑制状態として特別計数を行う場合に受入口用シャッタ９を施錠してもその一部を開放することにより開口面積を狭くしつつも獲得玉の受入を許容することを例示したが、他に受入口以外の補助受入口を別途設けて受入口を閉鎖していても補助受入口から獲得玉を受入可能としたり、受入口用シャッタ９に受入口を設けて、その受入口から獲得玉を受入可能としたりする等、受入口用シャッタ９を施錠可能に閉鎖した、或いは施錠状態として開口面積を狭くして獲得玉を受入難くしつつも、獲得玉を受入可能であれば抑制状態としてどのような構成を採用しても良い。
計数口用シャッタ１２を設けなくとも良い。即ち、実施形態上、特別計数を許容する抑制状態、従業員認証による計数である通常計数を許容する許容状態、及び特別計数、通常計数のいずれも許容しない拒否状態の３つの状態の内から択一的に受入状態を切替えることを例示したが抑制状態と許容状態の２つの状態の内から択一的に受入状態を切替える等、許容状態と抑制状態とを択一的に切替えるのであれば、その選択肢は幾つであっても良い。
【００３８】
特別計数時に景品選択を行わなくとも計数や発行処理を許容したが、景品選択を条件として特別計数を許容しても良い。
確認報知（確認表示）として確認表示釦３０を表示する構成を例示したが、例えば交換中画面の「受入数」の表示を「特別計数受入」との表示に切替えることで確認表示を行う等、特別計数である旨を特定出来れば、その報知はどのような表示であっても良いし、他の異常計数等の表示と兼用しても良い。更に、エラー音等の報知にて代用しても良い。
従業員の認証として指紋等の生体認証等の他の認証を鍵手段として採用したり、電子錠以外の例えば機械式の錠を採用して従業員に鍵を持たせて施錠等しても良い。
発行対象とするのはレシート等の紙以外に、カードやコイン等の記録媒体を採用しても良い。計数結果等を含めて全て又は一部を管理装置３にて管理し、記録媒体にはＩＤだけを記録してＰＯＳ端末にて記録媒体を受付けた場合に、そのＩＤに対応する計数情報を管理装置に問合わせるような構成としても良い。
【００３９】
管理装置における計数情報としては、計数機ＩＤ、計数玉、計数時刻、確認フラグの有無、選択景品等が想定されるが、例えば島端計数機周辺を撮像するカメラなどの撮像手段を設けて計数時の映像等、計数に関わる情報であればどのような情報を計数情報として管理し、ＰＯＳ端末７にて上述した確認表示として計数情報として表示しても良い（請求項５に相当）。
所謂会員カード等のＩＤにて遊技者ＩＤを特定し、その遊技者ＩＤに対応付けて獲得玉を遊技場へと預け入れる所謂貯玉処理を島端計数機６にて実行する場合に、その貯玉処理を従業員の認証済みであれば許容する一方、特別計数では許容しない構成とすれば、島端計数機６における貯玉処理を好適に対応出来るようになる。
対応する遊技機としては例示した以外のパチンコ遊技機や、スロットマシン等も採用出来る。この場合、遊技媒体としてはメダル等も採用し得る。
【符号の説明】
【００４０】
図面中、１は遊技機、３は管理装置（設定手段）、６は島端計数機（計数手段、発行手段、設定手段）、７はＰＯＳ端末（受付手段、報知手段）、９は受入口用シャッタ（抑制手段に相当）、１０は従業員ＩＣカードリーダ（計数操作手段）、２２は景品選択釦（交換操作手段）、２７は情報表示部（交換表示手段）、２９は特別計数レシート（記録媒体）、３０は確認表示釦（確認報知、確認表示）である。
【図１】
0005502668.tif 000002
【図２】
0005502668.tif 000003
【図３】
0005502668.tif 000004
【図４】
0005502668.tif 000005
【図５】
0005502668.tif 000006
【図６】
0005502668.tif 000007
【図７】
0005502668.tif 000008
【図８】
0005502668.tif 000009
【図９】
0005502668.tif 000010
【図１０】
0005502668.tif 000011
【図１１】
0005502668.tif 000012
【図１２】
0005502668.tif 000013